(57)【特許請求の範囲】
【請求項１】
サッシ枠体の上下枠間に竪部材を枠組みし、上枠と竪部材の間に竪部材が上枠に向けて相対的に伸縮可能な伸縮代を有する伸縮代間隙を形成したサッシ枠体への竪部材の枠組み構造において、上枠の水平な基壁に挿通孔を垂直に穿設し、上枠と竪部材の間の伸縮代間隙にクッション材を配設し、挿通孔とクッション材とに挿通させるネジを竪部材の上端部分に螺合させたことを特徴とするサッシ枠体への竪部材の枠組み構造。
【請求項２】
上枠の基壁に一体に形成された垂直な室内側壁と中間壁の竪部材と対応する部分を切欠いて伸縮代切欠部分を形成し、室内側壁と中間壁の伸縮代切欠部分に対応する竪部材の見付側壁上端部分に伸縮代凹部を夫々形成し、上枠内に竪部材の上端部分が位置するように枠組みした状態で、伸縮代凹部の底面が室内側壁と中間壁の下端面と略一致して室内側壁及び中間壁の伸縮代切欠部分と竪部材の伸縮代凹部との間に伸縮代を形成すると共に、室内側壁の切欠部分を竪部材の室内側部分の上端部により塞ぐことを特徴とする請求項１記載のサッシ枠体への竪部材の枠組み構造。
【請求項３】
上枠の基壁の上側に室内側壁と中間壁に亘って凹部を設け、凹部内にネジの上方の空間を塞ぐ塞ぎ部材を設けたことを特徴とする請求項１または２記載のサッシ枠体への竪部材の枠組み構造。
【請求項４】
クッション材はネジを螺合させる竪部材のタッピングホール上に位置していることを特徴とする請求項１から３の何れか１項に記載のサッシ枠体への竪部材の枠組み構造。
【請求項５】
パネル部材が嵌め込まれるアタッチメントの上枠アタッチメントを上枠に固着し、上枠アタッチメントの竪部材側端を竪部材に対して上下方向へ相対摺動可能に当接させてあることを特徴とする請求項１から４の何れか１項に記載のサッシ枠体への竪部材の枠組み構造。
【発明の詳細な説明】
【技術分野】
【０００１】
この発明は、サッシ枠体の上下枠間に竪部材を枠組みし、上枠と竪部材の間に竪部材が上枠に対して相対的に伸縮可能な伸縮代を有する伸縮代間隙を形成したサッシ枠体への竪部材の枠組み構造に関する。
【背景技術】
【０００２】
従来の上枠と竪部材の間に伸縮代を有し、上枠と竪部材とが相対移動できるようにしたものとして特許文献１〜３のものがある。特許文献１〜３のものでは、サッシ枠体を構成する上枠にＬ字形状のブラケットの一端の横片を固定し、他端の縦片を上枠から垂下し、竪部材の上端部分または縦片に上下方向の長孔を形成し、竪部材の上端をネジによりブラケットの縦片に螺着している。この竪部材と上枠の間には、伸縮代間隙が形成されている。これにより、サッシ枠体が取付けられる躯体開口部の上面側コンクリートが下がる現象（いわゆるコンクリートクリープ）による上枠のたわみや竪部材が熱膨張により伸張したとき、ネジが長孔を上下方向に移動すること及び伸縮代間隙により、上枠に向けて竪部材が相対的に移動でき、竪部材の座屈によるたわみが防止される。更に、特許文献２には、上枠のＬ字形状のブラケットと竪部材とを長孔とネジで螺合し、上枠に固着された上枠アタッチメントと竪部材とをネジにより螺着し、上枠アタッチメントに切欠部を設けて上枠アタッチメントの竪部材側を細くし、竪部材が熱膨張により伸びたとき、ネジが長孔を移動することと上枠アタッチメントの竪部材側の湾曲により竪部材のたわみを防止するものが開示されている。また、特許文献４のものでは、ネジで連結された上枠と竪部材の上端部分に亘って緩衝材を設けることで、コンクリートクリープによる躯体開口部の上面側コンクリートの下方へのたわみや熱膨張による竪部材の伸張を緩衝材が変形して吸収し、竪部材の座屈によるたわみが防止される。
【０００３】
【特許文献１】実開平５−５２１８３号公報
【特許文献２】実用新案登録第２５８５９８４号公報
【特許文献３】特開２００４−５２３４７号公報
【特許文献４】特許第２７３６３７８号公報
【発明の開示】
【発明が解決しようとする課題】
【０００４】
前記特許文献１〜３に記載のものでは、ブラケットを用いて上枠と竪部材とを連結しており上枠の近くでネジを螺合するので作業性が悪く、更に特許文献２、３のものでは、長孔にネジを螺合して竪部材を上枠に組付けているので、上枠と竪部材との間の所定の伸縮代間隙を保つように竪部材と上枠とを組付けるのに手間が掛かる問題がある。また、特許文献１、２に記載のものでは、竪部材とブラケットを連結するネジと竪部材に設けた長孔とが見え、また、特許文献３のものでは切欠部が見えるので意匠的に好ましくない。また、特許文献２、４に記載のものでは、夫々竪部材と上枠アタッチメント、竪部材と上枠をネジで連結しているので、竪部材の伸張により、連結するネジにせん断モーメントが作用する問題がある。また、特許文献４のものでは竪部材と上枠の上端部分に設けられたモルタル内に位置する緩衝材を通して室外側の騒音が室内側に伝わり易い問題がある。
この発明は、前記課題を解決できるようにした、上枠と竪部材の組付けが容易で意匠的にも優れ、竪部材の座屈によるたわみを防止できるサッシ枠体への竪部材の取付構造を提供するものである。
【課題を解決するための手段】
【０００５】
本発明は、サッシ枠体の上下枠間に竪部材を枠組みし、上枠と竪部材の間に竪部材が上枠に向けて相対的に伸縮可能な伸縮代を有する伸縮代間隙を形成したサッシ枠体への竪部材の枠組み構造において、上枠の水平な基壁に挿通孔を垂直に穿設し、上枠と竪部材の間の伸縮代間隙にクッション材を配設し、挿通孔とクッション材とに挿通させるネジを竪部材の上端部分に螺合させたことを特徴とする。
【０００６】
また、上枠の基壁に一体に形成された垂直な室内側壁と中間壁の竪部材と対応する部分を切欠いて伸縮代切欠部分を形成し、室内側壁と中間壁の伸縮代切欠部分に対応する竪部材の見付側壁上端部分に伸縮代凹部を夫々形成し、上枠内に竪部材の上端部分が位置するように枠組みした状態で、伸縮代凹部の底面が室内側壁と中間壁の下端面と略一致して室内側壁及び中間壁の伸縮代切欠部分と竪部材の伸縮代凹部との間に伸縮代を形成すると共に、室内側壁の切欠部分を竪部材の室内側部分の上端部により塞ぐことを特徴とする。
【０００７】
また、上枠の基壁の上側に室内側壁と中間壁に亘って凹部を設け、凹部内にネジの上方の空間を塞ぐ塞ぎ部材を設けたことを特徴とする。
【０００８】
前記クッション材はネジを螺合させる竪部材のタッピングホール上に位置していることを特徴とする。
【０００９】
また、パネル部材が嵌め込まれるアタッチメントの上枠アタッチメントを上枠に固着し、上枠アタッチメントの竪部材側端を竪部材に対して上下方向へ相対摺動可能に当接させてあることを特徴とする。
【発明の効果】
【００１０】
本願の請求項１の発明によれば、上枠と竪部材の間の伸縮代間隙に少なくとも伸縮代寸法のクッション材を配置して、上枠の上方からネジを上枠に挿通し、クッション材を介して竪部材に螺合するので、ネジの締結が容易であって、クッション材により所定の伸縮代間隙を保つことが簡単にできるので、上枠と竪部材を枠組みする作業性が極めて良い。また、Ｌ字形状のブラケットが不必要であり、見付方向（上枠の長手方向）からネジを螺合しないので、Ｌ字形状のブラケットや長孔やネジが見えることがなく意匠的に好ましい。
【００１１】
本願の請求項２の発明によれば、上枠と竪部材との間に形成した伸縮代が見えないので意匠的に優れている。
【００１２】
本願の請求項３の発明によれば、サッシ枠体を躯体開口部に設けてサッシ枠体と躯体間にモルタルを充填しても、凹部内のネジの上方の空間を塞ぐ塞ぎ部材が、ネジがモルタルに埋れて（覆われて）しまうことを防ぎ、上枠と竪部材との相対移動のときのネジの移動を妨げない効果がある。また、塞ぎ部材は上枠の基壁の上側に室内側壁と中間壁に亘って設けた凹部内に配置されているので、室外側からの騒音が塞ぎ部材を介して室内側に伝わり難くする効果がある。
【００１３】
本願の請求項４の発明によれば、竪部材が押出成形等により形成され上端部分が開口となっていても、竪部材のタッピングホール上にクッション材を配置するので、配置が容易に行える。
【００１４】
本願の請求項５の発明によれば、上枠アタッチメントの竪部材側端を竪部材に対して相対摺動可能に当接しているので、特許文献２、４のようにネジで竪部材と上枠アタッチメントまたは上枠が連結されたもののようにネジにせん断モーメントが作用することがない。
【発明を実施するための最良の形態】
【００１５】
本願発明の実施の形態について図１〜図１１により説明する。片引きサッシ１は、躯体２の開口部３に取付けられ、図４に示すように、片引きサッシ１と躯体２との間にはモルタル４が充填されている。片引きサッシ１は、上下枠５，６と左右竪枠７，８とを枠組みしてサッシ枠体９が構成されており、サッシ枠体９の中間で上下枠５，６間に竪部材としての召し合わせ方立１０を枠組みしてある。これに上枠アタッチメント１１と下枠アタッチメント１２と右竪枠８と召し合わせ方立１０とを枠組みしたアタッチメント１５にパネル部材としてのガラス１６を嵌め込んだ嵌め殺し窓１４と、上下横框１７，１７と左右竪框１８とを枠組みしガラスを嵌め込み、レール１９に沿って開閉可能な障子２０とが設けられ、片引きサッシ１が構成されている。この嵌め殺し窓１４の上枠アタッチメント１１の召し合わせ方立側端（竪部材側端）２１は、図２、図３に示すように、召し合わせ方立１０の図３において左側の見付側壁２２に上下方向へ相対摺動可能に当接している。尚、図２〜４、図８、図９、図１１において障子２０は省略してある。
【００１６】
上枠５は、例えばアルミニウム合金を押出し、もしくは、引き抜きして形成されており、図４、図５に示すように、水平な基壁２３の室内側端と室外側端に夫々垂直な室内側壁２４と中間壁２５とが一体に形成されている。中間壁２５の上端には室外側に向けて水平壁２６が一体に形成され、水平壁２６の室外側端に室外側壁２７が一体に形成されており、中間壁２５と室外側壁２７の略中間で水平壁２６の下面にレール１９が一体形成されている。室内側壁２４と中間壁２５の下端部分は、図２〜８に示すように、召し合わせ方立１０と対応する部分が切欠かれて夫々伸縮代切欠部分４７，４８が形成されている。また、基壁２３には、図８に示すように、挿通孔２９が垂直に穿設されており、挿通孔２９の直径Ｒ１は後述のネジ３０の頭部の直径Ｒ２より小さくネジ部の直径Ｒ３より大きく設定されている。
【００１７】
召し合わせ方立１０は、図４、図１０に示すように、室内側壁２４と中間壁２５の伸縮代切欠部分４７，４８に対応する見付側壁２２の上端部分に伸縮代凹部３１〜３４が夫々形成してある。また、召し合わせ方立１０の上端部分には、上枠５の基壁２３の下側に室内側壁２４と中間壁２５に亘って設けられた下凹部３５内に入り込む挿入凸部３６が形成されている。この挿入凸部３６の内周面には、図３、図７、図１０に示すように、ネジ３０が捩じ込まれるタッピングホール３７が形成されている。
【００１８】
召し合わせ方立１０は、図４に示すように、上枠５内に召し合わせ方立１０の上端部分が位置するように配置され、上枠５にネジ３０により組み付けられる。上枠５の下凹部３５内に挿入した召し合わせ方立１０の挿入凸部３６の上面３８と基壁２３の底面３９との間には、図４、図８に示すように、召し合わせ方立１０が熱で伸張して上枠５に当接した場合や、躯体２のコンクリートクリープにより上枠５がたわみ、上枠５が召し合わせ方立１０に当接した場合に、召し合わせ方立１０のたわみによる座屈を起こさない伸縮代より大きな伸縮代間隙４０が形成されている。また、上枠５に召し合わせ方立１０を枠組みした状態で、図８に示すように、召し合わせ方立１０の伸縮代凹部３１〜３４の底面４１〜４４が上枠５の室内側壁２４と中間壁２５の下端面４５，４６と略一致し、上枠５の室内側壁２４及び中間壁２５の伸縮代切欠部分４７，４８と召し合わせ方立１０の伸縮代凹部３１〜３４との間に伸縮代４９が形成されている。
【００１９】
前記伸縮代間隙４０内にはクッション材５０が設けられ、クッション材５０はタッピングホール３７の上端面と基壁２３の底面３９間に位置している。このクッション材５０はゴムや樹脂から成り、上枠５に召し合わせ方立１０をネジ３０により組付けるとき、伸縮代切欠部分４７，４８と伸縮代凹部３１〜３４間の伸縮代４９と、伸縮代間隙４０とを保つのを容易としている。また、クッション材５０は、召し合わせ方立１０が伸びた等したとき、圧縮や破壊されるようになっており、召し合わせ方立１０と上枠５とが近接する相対移動を妨げないようになっている。
【００２０】
上枠５と召し合わせ方立１０を組付けるネジ３０はビスであり、図８に示すように、上枠５の挿通孔２９を挿通し、クッション材５０を介してタッピングホール３７に捩じ込まれており、召し合わせ方立１０の上枠５に対する上下方向への相対的な移動により召し合わせ方立１０と一体に上枠５に対して上下移動する。ネジ３０は、上枠５の基壁２３の上側に室内側壁２４と中間壁２５に亘って上枠５長手方向に伸びるように形成された凹部５１内に位置しており外部から見えないようになっている。
【００２１】
また、上枠５の基壁２３の上側の凹部５１内にはネジ３０の上方の空間を塞ぐ塞ぎ部材５２が設けられている。塞ぎ部材５２は、サッシ枠体９を躯体２に取付けた際にサッシ枠体９と躯体２との間に充填したモルタル４によってネジ３０が埋められることを防止している。また、塞ぎ部材５２は、図８に示す状態から図９に示すように、召し合わせ方立１０が上枠５に対して相対的に上方に移動したとき、ネジ３０の頭部により押圧されて変形しネジ３０の移動を妨げないようになっており、例えば発泡スチロールから構成されている。
【００２２】
上枠５と召し合わせ方立１０の組付け状態で、中間壁２５の室外側面５３には、図１１に二点鎖線の斜線で示す伸縮代切欠部４８を室外側から塞ぐシール材５４が貼り付けられている。このシール材５４により室外側から片引きサッシ１を見たときに中間壁２５の伸縮代切欠部分４８が見えないようになっている。また、室内側壁２４の伸縮代切欠部分４７は、図２に示すように、召し合わせ方立１０の室内側部分５５のキャップ５６が設けられた上端部により塞がれて見えないようになっている。キャップ５６は、召し合わせ方立１０の室内側部分５５の上端部の開口を塞ぐものである。また、伸縮代４９は、中間壁２５と室内側壁２４の伸縮代切欠部分４７，４８の見付方向面５７，５８により塞がれて見えないようになっている。このように伸縮代切欠部分４７，４８と伸縮代凹部３１〜３４で形成される伸縮代４９は、外観上見えないようになっているので片引きサッシ１の意匠性が向上する。
【００２３】
以上のように構成されているので、コンクリートクリープにより上枠５が湾曲した場合や熱膨張により召し合わせ方立１０が伸張した場合、図９に示すように、伸縮代４９と伸縮代間隙４０により召し合わせ方立１０の上端部が上枠５に圧接することなく上枠５に向けてクッション材５０を圧縮させながら相対的に移動できるので、召し合わせ方立１０が座屈してたわむことがない。このとき召し合わせ方立１０に螺合されたネジ３０の頭部は、塞ぎ部材５２を押し潰しながら移動し、また、上枠アタッチメント１１の竪部材側端２１に対して召し合わせ方立１０の見付側壁２２が相対摺動するので、召し合わせ方立１０の上端部の移動の妨げにならない。
【図面の簡単な説明】
【００２４】
【図１】本願発明のサッシ枠体への竪部材の枠組み構造を備えた片引きサッシの室内側から見た図である。
【図２】図１のＩＩ部拡大図である。
【図３】図１のＩＩ部を室外側から見た拡大図である。
【図４】図３のＩＶ−ＩＶ線断面図である。
【図５】図３のＩＶ−ＩＶ線での上枠の断面図である。
【図６】図３のＶＩ−ＶＩ線での上枠の断面斜視図である。
【図７】図４のＶＩＩ視図である。
【図８】図４に表すネジの上枠の挿通孔への挿通と召し合わせ方立への螺合を示す説明図である。
【図９】召し合わせ方立の上枠への相対的な上昇を示す説明図である。
【図１０】図３のＩＶ−ＩＶ線断面での分解斜視図である。
【図１１】シール材の貼り付けを示す説明図である。
【符号の説明】
【００２５】
５  上枠
６  下枠
９  サッシ枠体
１０  召し合わせ方立（竪部材）
１１  上枠アタッチメント
１５  アタッチメント
１６  ガラス（パネル部材）
２１  上枠アタッチメントの竪部材側端
２２  見付側壁
２３  基壁
２４  室内側壁
２５  中間壁
２９  挿通孔
３０  ネジ
３１〜３４  伸縮代凹部
３７  タッピングホール
４０  伸縮代間隙
４１〜４４  伸縮代凹部の底面
４５  室内側壁の下端面
４６  中間壁の下端面
４７，４８  伸縮代切欠部分
４９  伸縮代
５０  クッション材
５１  凹部
５２  塞ぎ部材
５５  室内側部分
【図１】
0004711068.tif 000002
【図２】
0004711068.tif 000003
【図３】
0004711068.tif 000004
【図４】
0004711068.tif 000005
【図５】
0004711068.tif 000006
【図６】
0004711068.tif 000007
【図７】
0004711068.tif 000008
【図８】
0004711068.tif 000009
【図９】
0004711068.tif 000010
【図１０】
0004711068.tif 000011
【図１１】
0004711068.tif 000012